【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
建設中に対向する構造要素を結合するためのカプラであって、
第１の構造要素に取り付けられるようにされたネジ式ポストと、
センタリング突起を有する統合された着座ヘッドを含むシャンクを備える、ワンピースの非回転着座スタッドであって、前記着座スタッドは対応する対向する第２の構造要素に取り付けられるようになっている、着座スタッドと、
内側ネジ式および外側ネジ式壁、ならびに端壁を有する調整カプラ部材であって、前記端壁は前記センタリング突起を受容するように補完的に構成されており、
前記調整カプラ部材は、前記ネジ式ポストにネジ留めされることで、前記端壁が前記ワンピースの非回転着座スタッドに対して回転できるようになっており、前記端壁は前記突起と嵌合する際、前記対向する前記第１の構造要素および前記第２の構造要素を位置合わせする、調整カプラ部材と、
内側ネジ式壁および端壁開口を有する囲繞カプラ部材であって、
前記囲繞カプラ部材は、前記開口を通る前記着座スタッドの前記シャンクで前記調整カプラ部材にネジ留めされるようになっている、囲繞カプラ部材と、
を備え、
前記調整カプラ部材は、前記ネジ式ポストにネジ留めされて嵌合され、前記着座ヘッドに対して押力を加えるようになっており、前記第２の構造要素に対する前記第１の構造要素の位置が調整可能であり、所望の最終位置を実現すると、前記囲繞カプラ部材は、前記調整カプラ部材にネジ留めされ、前記着座ヘッドを前記調整カプラ部材に対して囲繞および係止することができる、カプラ。
【請求項２】
前記着座スタッドは一体またはワンピース構造であり、前記着座ヘッドは、その上面の中心に位置する前記センタリング突起を有する円筒形ボスを備える、請求項１に記載のカプラ。
【請求項３】
前記着座スタッドの前記シャンクは、縮小サイズのネックを有し、前記囲繞カプラ部材の前記開口内に位置するときに増加した横方向移動または側方公差を提供する、請求項１に記載のカプラ。
【請求項４】
前記着座ヘッドの前記センタリング突起は円錐形、円錐台形、または先細構成である、請求項１に記載のカプラ。
【請求項５】
前記突起を受容するようになっている前記調整カプラ部材の前記端壁は窪みまたは開口を備え、前記窪みまたは開口が前記突起と完全に嵌合すると、前記突起と前記窪みまたは開口との間に少なくとも幅３ミリメートルの間隙ができる、請求項１に記載のカプラ。
【請求項６】
前記突起を受容するようになっている前記調整カプラ部材の前記端壁は窪みまたは開口を備え、前記窪みまたは開口が前記突起と完全に嵌合すると、前記突起と前記窪みまたは開口との間に幅３ミリメートル未満の間隙ができる、請求項１に記載のカプラ。
【請求項７】
前記調整および囲繞カプラは、１つ以上のスパナを用いて前記調整および外部カプラを回転して締め付けるための、外面上に機械加工されたファセットまたは平面を有する、請求項１に記載のカプラ。
【請求項８】
前記ネジ式ポストは、前記ネジ式ポストとのネジ嵌合を越えて前記調整カプラ部材が巻き付けられるのを防止するための安全機能として、一端に拡張された非ネジ式部分を有する、請求項１に記載のカプラ。
【請求項９】
前記ネジ式ポストは、一端に窪みまたは開口を有することで、より多くの垂直調整空間を前記センタリング突起にもたらし、および／または前記組立済みカプラの全長を短縮する、請求項１に記載のカプラ。
【請求項１０】
前記調整カプラ部材に対して締め付けられる前記ネジ式ポストの上にロックナットがあり、引張または圧縮荷重の下にあるときに前記組立済みカプラの全体的な滑りまたは伸長を係合および制限する、請求項１に記載のカプラ。
【請求項１１】
流動性の硬化型充填剤、セメントグラウト、またはエポキシが、前記調整および囲繞カプラ部材の螺合時に形成された内部空洞内部空洞内に注入される、請求項１に記載のカプラ。
【請求項１２】
前記調整カプラ部材に充填剤を注入するための供給穴がある、請求項１に記載のカプラ。
【請求項１３】
前記調整カプラに空気を逃がすためのブリード穴がある、請求項１に記載のカプラ。
【請求項１４】
前記着座スタッドの前記シャンクおよび前記囲繞カプラは、前記囲繞カプラを邪魔にならないところに一時的に保持するための補完的なネジ式部分を有し、その一方で、前記調整カプラは前記所望の最終位置を実現する前に前記着座ヘッドと嵌合し、前記囲繞カプラ部材は前記調整カプラ部材にネジ留めされて前記第１の構造要素および前記第２の構造要素を結合する、請求項１に記載のカプラ。
【請求項１５】
張力カプラとして使用するために改造された請求項１に記載のカプラであって、前記改造は、
その内壁および外壁に追加のネジ溝を設けるために延長された前記調整カプラ部材と、
その内壁に追加のネジ溝を設けるために延長された前記囲繞カプラ部材と、を備え、
アセンブリ上で、両方のカプラ部材の前記伸長したネジ式壁により、
前記囲繞カプラの前記端壁は、前記調整カプラ部材が前記着座ヘッドに接触する前に前記着座ヘッドと嵌合することができ、前記調整および囲繞カプラ部材の継続的な螺合は、前記対向する前記第１の構造要素および前記第２の構造要素を張力下に置くことができる、カプラ。
【請求項１６】
請求項１に記載のカプラを使用して、第１の構造要素および第２の構造要素を通じて互いの上に配置されたコンクリート建築構造の位置を調整する方法であって、
ａ）前記調整カプラ部材がネジ留めされたネジ式ポストを前記第１の構造要素に取り付けるステップと、
ｂ）前記囲繞カプラ部材を通過した前記着座スタッドを対応する対向する第２の構造要素に取り付けるステップと、
ｃ）前記着座スタッドの前記補完的なネジ式部分に前記囲繞カプラ部材をネジ留めし、前記囲繞カプラを邪魔にならないところに一時的に保持するステップと、
ｄ）前記調整カプラ部材を前記ポストにネジ留めし、前記着座ヘッドを嵌合させ、同軸に位置合わせして吊上力または押力を加え、前記第１および第２の構造要素の位置を互いに対して調整するステップと、
ｅ）調整の完了時に、前記囲繞カプラ部材を前記調整カプラ部材にネジ留めし、前記着座ヘッドを囲繞および係合して前記鉄筋を結合するステップと、
ｆ）あらゆるロックナットを締め付け、前記カプラアセンブリの個々の構成要素をさらに固定するステップと、
ｇ）場合により、前記カプラアセンブリのあらゆる空洞を充填剤で充填するステップと、その後
ｈ）前記カプラアセンブリをコンクリート中に永久的に埋め込むステップと、
を含む方法。
【請求項１７】
建設中に対向する構造要素を結合するためのカプラであって、
第１の構造要素に取り付けられるようにされたポストと、
統合された着座ヘッドを含むシャンクを備える、ワンピースの着座スタッドであって、前記着座スタッドは対応する対向する第２の構造要素に取り付けられるようになっている、着座スタッドと、
内側ネジ式および外側ネジ式壁、ならびに端壁を有する調整カプラ部材であって、
前記調整カプラ部材は、前記ポストと連係することで、前記端壁が前記ワンピースの着座スタッドに対して回転できるようになっている、前記調整カプラ部材と、
内側ネジ式壁および端壁開口を有する囲繞カプラ部材であって、
前記囲繞カプラ部材は、前記開口を通る前記着座スタッドの前記シャンクで前記調整カプラ部材にネジ留めされるようになっている、囲繞カプラ部材と、
を備え、
前記調整カプラ部材は、前記ネジ式ポストにネジ留めされて嵌合され、前記着座ヘッドに対して押力を加えるようになっており、前記第２の構造要素に対する前記第１の構造要素の位置が調整可能であり、所望の最終位置を実現すると、前記囲繞カプラ部材は、前記調整カプラ部材にネジ留めされ、前記着座ヘッドを前記調整カプラ部材に対して囲繞および係止することができる、カプラ。
【請求項１８】
前記調整カプラ部材および前記囲繞カプラ部材がコンクリート中に埋め込まれている、請求項１に記載のカプラ。
【請求項１９】
前記調整カプラ部材および前記囲繞カプラ部材がコンクリート中に埋め込まれている、請求項１７に記載のカプラ。